(57)【要約】【課題】ペン先側を下向きにして落下衝撃が加わった際のペン先が損傷することを回避できる出没式筆記具を提供する。【解決手段】筆記体３を軸筒２内に前後方向に移動可能に収容し、前記筆記体３を後方に付勢する弾発体７を前記軸筒２内に収容し、弾発体７の後方付勢に抗して筆記体３を前方移動させることにより前記筆記体３のペン先３１を前記軸筒２の前端孔２１から突出状態にする出没機構６を備えた出没式筆記具であって、前記軸筒２内に環状の弾性体４を配置し、前記軸筒２内の弾性体４の後方に環状の錘体５を前後方向に移動可能に配置し、前記筆記体３が前記弾性体４の内孔及び前記錘体５の内孔を貫通し、衝撃時、前記錘体５が弾性体４に衝突することによって前記弾性体４が径方向に膨出し、筆記体３の外面を弾性体４が挟持可能に構成したことを特徴とする。【選択図】  図１
2012232483.tif 000002
【特許請求の範囲】
【請求項１】
筆記体を軸筒内に前後方向に移動可能に収容し、前記筆記体を後方に付勢する弾発体を前記軸筒内に収容し、弾発体の後方付勢に抗して筆記体を前方移動させることにより前記筆記体のペン先を前記軸筒の前端孔から突出状態にする出没機構を備えた出没式筆記具であって、
前記軸筒内に環状の弾性体を配置し、
前記軸筒内の弾性体の後方に環状の錘体を前後方向に移動可能に配置し、
前記筆記体が前記弾性体の内孔及び前記錘体の内孔を貫通し、
衝撃時、前記錘体が弾性体に衝突することによって前記弾性体が径方向に膨出し、筆記体の外面を弾性体が挟持可能に構成したことを特徴とする出没式筆記具。
【請求項２】
前記弾性体の前方の軸筒の内面に、前記弾性体に当接し前記弾性体の前方移動を規制する前側係止部を設けた請求項１記載の出没式筆記具。
【請求項３】
前記錘体の後方の軸筒の内面に、前記錘体に当接し前記錘体の後方移動を規制する後側係止部を設けた請求項１または２記載の出没式筆記具。
【発明の詳細な説明】
【技術分野】
【０００１】
本発明は、出没式筆記具に関する。
【背景技術】
【０００２】
筆記体を軸筒内に前後方向に移動可能に収容し、前記筆記体を後方に付勢する弾発体を前記軸筒内に収容し、弾発体の後方付勢に抗して筆記体を前方移動させることにより前記筆記体のペン先を前記軸筒の前端孔から突出状態にする出没機構を備えた出没式筆記具が知られている。（例えば特許文献１等）
【０００３】
前記特許文献１の出没式筆記具は、ペン先側を下向きにして落下衝撃が加わると、軸筒の前端孔からペン先が突出し、ペン先が損傷するおそれがある。
【先行技術文献】
【特許文献】
【０００４】
【特許文献１】実公昭６３−３７２７０号公報
【発明の概要】
【発明が解決しようとする課題】
【０００５】
本発明は、前記従来の問題点を解決するものであって、ペン先側を下向きにして落下衝撃が加わった際のペン先が損傷することを回避できる出没式筆記具を提供しようとするものである。尚、本発明で、「前」とは、ペン先側を指し、「後」とは、その反対側を指す。
【課題を解決するための手段】
【０００６】
本願の第１の発明は、筆記体３を軸筒２内に前後方向に移動可能に収容し、前記筆記体３を後方に付勢する弾発体７を前記軸筒２内に収容し、弾発体７の後方付勢に抗して筆記体３を前方移動させることにより前記筆記体３のペン先３１を前記軸筒２の前端孔２１から突出状態にする出没機構６を備えた出没式筆記具であって、前記軸筒２内に環状の弾性体４を配置し、前記軸筒２内の弾性体４の後方に環状の錘体５を前後方向に移動可能に配置し、前記筆記体３が前記弾性体４の内孔及び前記錘体５の内孔を貫通し、衝撃時、前記錘体５が弾性体４に衝突することによって前記弾性体４が径方向に膨出し、筆記体３の外面を弾性体４が挟持可能に構成したことを要件とする。
【０００７】
前記第１の発明の出没式筆記具１は、衝撃時、前記錘体５が弾性体４に衝突することによって前記弾性体４が径方向に膨出し、筆記体３の外面を弾性体４が挟持可能に構成したことにより、衝撃時、錘体５が弾性体４に衝突して弾性体４が圧縮変形するとともに弾性体４が径方向に膨出し、それにより、筆記体３の外面が弾性体４により挟持され、筆記体３の前方移動（即ちペン先３１の突出）を回避できる。その結果、ペン先３１側を下向きにして落下衝撃が加わった際のペン先３１が損傷することを回避できる。
【０００８】
本願の第２の発明は、前記第１の発明の出没式筆記具１において、前記弾性体４の前方の軸筒２の内面に、前記弾性体４に当接し前記弾性体４の前方移動を規制する前側係止部２２を設けたことを要件とする。
【０００９】
前記第２の発明の出没式筆記具１は、前記弾性体４の前方の軸筒２の内面に、前記弾性体４に当接し前記弾性体４の前方移動を規制する前側係止部２２を設けたことにより、確実な弾性体４の径方向の膨出変形が可能となる。
【００１０】
本願の第３の発明は、前記第１または第２の発明の出没式筆記具１において、前記錘体５の後方の軸筒２の内面に、前記錘体５に当接し前記錘体５の後方移動を規制する後側係止部２３を設けたことを要件とする。
【００１１】
前記第３の発明の出没式筆記具１は、前記錘体５の後方の軸筒２の内面に、前記錘体５に当接し前記錘体５の後方移動を規制する後側係止部２３を設けたことにより、錘体５の移動を抑止できる。
【発明の効果】
【００１２】
本発明は、ペン先側を下向きにして落下衝撃が加わった際のペン先が損傷することを回避できる。
【図面の簡単な説明】
【００１３】
【図１】本発明の実施の形態のペン先出没状態を示す縦断面図である。
【図２】図１の落下衝撃時の弾性体４の作動を説明する縦断面図である。
【図３】図１の通常のペン先突出状態を示す縦断面図である。
【発明を実施するための形態】
【００１４】
本発明の実施の形態を図１乃至図３に示す。
本実施の形態の出没式筆記具１は、軸筒２と、該軸筒２内に収容される、筆記体３、弾発体７、弾性体４、錘体５、及び出没機構６とからなる。
【００１５】
前記軸筒２は、前端に前端孔２１を備える。前記軸筒２の内面には、前側係止部２２と、後側係止部２３とが形成される。前記軸筒２内の前側係止部２２と後側係止部２３との間には、弾性体４及び錘体５が収容される。
【００１６】
前記軸筒２の後部には、出没機構６が設けられる。前記出没機構６は、前記軸筒２の後端より後方に突出するノック体を前方に押圧することにより、ペン先３１が突出及び没入する従来公知のダブルノック式の機構が採用される。前記軸筒２の前端部には、弾発体７（例えば圧縮コイルスプリング）が収容され、前記弾発体７により、前記筆記体３が常時後方に付勢される。
【００１７】
前記筆記体３は、ボールペンレフィルであり、インキ収容筒の前端に、ペン先３１としてボールペンチップが取り付けられる。前記ボールペンチップは、チップ本体の前端に回転可能にボールが抱持されている。前記インキ収容管の内部には、インキ（水性または油性インキ）と、該インキの後端に充填され且つ該インキの消費に伴い前進する追従体（例えば高粘度流体）が収容される。
【００１８】
前記弾性体４は環状であり、その内孔を筆記体３が遊挿貫通される。前記弾性体４は、前側係止部２２に当接される。前記弾性体４は、弾性材料（例えば、シリコーンゴム等の合成ゴムや合成樹脂エラストマー）からなる。
【００１９】
前記錘体５は環状であり、その内孔を筆記体３が遊挿貫通される。前記錘体５は、弾性体４と後側係止部２３との間（即ち弾性体４の後方且つ後側係止部２３の前方）に前後方向に移動可能に配置される。前記錘体５は、弾性体４及び後側係止部２３に当接可能である。前記錘体５は、ステンレス鋼等の金属材料からなる。
【００２０】
本実施の形態の出没式筆記具１において、ペン先３１下向き状態で落下衝撃が加わった場合、図２に示すように、錘体５が弾性体４を前方に押圧し、前記弾性体４が前側係止部２２と錘体５とにより前後に圧縮され且つ径方向（径方向外方及び径方向内方）に膨出され、弾性体４が筆記体３の外面に圧接され、筆記体３の前後方向の移動が阻止される。それにより、軸筒２の前端孔２１からのペン先３１の突出が阻止され、その結果、ペン先３１の損傷が阻止される。
【符号の説明】
【００２１】
１  出没式筆記具
２  軸筒
２１  前端孔
２２  前側係止部
２３  後側係止部
３  筆記体
３１  ペン先
４  弾性体
５  錘体
６  出没機構
７  弾発体
【図１】
2012232483.tif 000003
【図２】
2012232483.tif 000004
【図３】
2012232483.tif 000005